(57)【要約】【課題】アプリケーションの実行に際したユーザの利便性を向上させる電子機器を提供する。【解決手段】所定のアプリケーションをインストールする処理を行うインストール処理部と、前記インストール処理部によって前記所定のアプリケーションがインストール済であるかを確認する第１の確認部と、前記第１の確認部によってインストール済でないことが確認されると、他の電子機器に前記所定のアプリケーションがインストールされているかを確認する第２の確認部と、前記第２の確認部によってインストールされていることが確認されると、前記他の電子機器に対して前記所定のアプリケーションを実行するよう要求する要求部と、を備える電子機器としている。【選択図】図２
2015192273.tif 000002
【特許請求の範囲】
【請求項１】
所定のアプリケーションをインストールする処理を行うインストール処理部と、
前記インストール処理部によって前記所定のアプリケーションがインストール済であるかを確認する第１の確認部と、
前記第１の確認部によってインストール済でないことが確認されると、他の電子機器に前記所定のアプリケーションがインストールされているかを確認する第２の確認部と、
前記第２の確認部によってインストールされていることが確認されると、前記他の電子機器に対して前記所定のアプリケーションを実行するよう要求する要求部と、
を備える電子機器。
【請求項２】
前記第２の確認部は、前記他の電子機器に対して前記所定のアプリケーションがインストール済であるかを問い合わせ、問い合わせに対する返信結果に基づき前記他の電子機器に前記所定のアプリケーションがインストールされているかを確認することを特徴とする請求項１に記載の電子機器。
【請求項３】
前記第２の確認部は、前記所定のアプリケーションが前記他の電子機器にインストールされていることを示すショートカット情報の有無に基づき前記他の電子機器に前記所定のアプリケーションがインストールされているかを確認することを特徴とする請求項１に記載の電子機器。
【請求項４】
放送受信部を更に備え、前記第１の確認部は、前記放送受信部により受信された放送において指定された前記所定のアプリケーションについて確認を行うことを特徴とする請求項１〜請求項３のいずれか１項に記載の電子機器。
【請求項５】
前記第２の確認部によってインストールされていないことが確認されると、前記他の電子機器に対して前記所定のアプリケーションのインストールに必要な情報を送信する情報送信部を更に備えることを特徴とする請求項１〜請求項４のいずれか１項に記載の電子機器。
【発明の詳細な説明】
【技術分野】
【０００１】
本発明は、電子機器に関する。
【背景技術】
【０００２】
近年、放送と通信を連携させたサービスであるハイブリッドキャスト（Hybridcast）が開始されている（例えば、特許文献１参照）。
【０００３】
デジタル放送波には映像や音声の情報とは別に、現在の視聴番組に関連したハイブリッドキャスト対応アプリケーションに関する情報を含めることができる。当該情報には、アプリケーションの指定に関する情報、アプリケーションをダウンロードするためのＵＲＬ情報、サーバーに関する情報等が含まれる。
【先行技術文献】
【特許文献】
【０００４】
【特許文献１】特開２０１３−８５１３９号公報
【発明の概要】
【発明が解決しようとする課題】
【０００５】
しかしながら、アプリケーションを実行するためには、現在使用しているデバイスにアプリケーションがインストールされている必要がある。アプリケーションはインターネットからダウンロードしてインストールする。
【０００６】
例えば、テレビ装置とレコーダ（ＢＤ（ブルーレイディスク）レコーダやＨＤＤレコーダ等）がＨＤＭＩ（登録商標）（High-Definition Multimedia Interface）ケーブルで接続されている状態とする。この状態でレコーダのチューナから入力されている放送コンテンツやレコーダに録画済の放送コンテンツをＨＤＭＩ経由でテレビ装置によって視聴中、この放送コンテンツに対応したアプリケーションがテレビ装置にはインストールされていても、レコーダにはインストールされていない場合は、別途レコーダにアプリケーションをインストールする必要がある。
【０００７】
しかしながら、レコーダをネットワークに接続していない場合、ユーザがわざわざネットワーク接続、及びアプリケーションのダウンロードを行う必要があり、ユーザにとって煩わしい。また、ネットワークに接続していたとしても、レコーダの記憶容量の関係上、ユーザがアプリケーションをなるべくインストールしたくない場合もある。
【０００８】
上記状況に鑑み、本発明は、アプリケーションの実行に際したユーザの利便性を向上させる電子機器を提供することを目的とする。
【課題を解決するための手段】
【０００９】
上記目的を達成するために本発明の一態様に係る電子機器は、所定のアプリケーションをインストールする処理を行うインストール処理部と、
前記インストール処理部によって前記所定のアプリケーションがインストール済であるかを確認する第１の確認部と、
前記第１の確認部によってインストール済でないことが確認されると、他の電子機器に前記所定のアプリケーションがインストールされているかを確認する第２の確認部と、
前記第２の確認部によってインストールされていることが確認されると、前記他の電子機器に対して前記所定のアプリケーションを実行するよう要求する要求部と、を備える構成としている。
【００１０】
このような構成によれば、自機である電子機器に所定のアプリケーションがインストールされていなくても、他の電子機器に上記所定のアプリケーションがインストールされていれば、他の電子機器に上記所定のアプリケーションを実行させることができる。
【００１１】
また、上記構成において、前記第２の確認部は、前記他の電子機器に対して前記所定のアプリケーションがインストール済であるかを問い合わせ、問い合わせに対する返信結果に基づき前記他の電子機器に前記所定のアプリケーションがインストールされているかを確認することとしてもよい。
【００１２】
また、上記構成において、前記第２の確認部は、前記所定のアプリケーションが前記他の電子機器にインストールされていることを示すショートカット情報の有無に基づき前記他の電子機器に前記所定のアプリケーションがインストールされているかを確認することとしてもよい。
【００１３】
また、上記いずれかの構成において、放送受信部を更に備え、前記第１の確認部は、前記放送受信部により受信された放送において指定された前記所定のアプリケーションについて確認を行うこととしてもよい。
【００１４】
このような構成によれば、受信された放送において指定された所定のアプリケーションが自機にインストールされていなくても、他の電子機器に上記所定のアプリケーションを実行させることができるので、放送とアプリケーションが連動したサービスを受けることが可能となる。
【００１５】
また、上記いずれかの構成において、前記第２の確認部によってインストールされていないことが確認されると、前記他の電子機器に対して前記所定のアプリケーションのインストールに必要な情報を送信する情報送信部を更に備えることとしてもよい。
【００１６】
このような構成によれば、自機に加えて他の電子機器にも所定のアプリケーションがインストールされていない場合でも、上記他の電子機器に上記所定のアプリケーションをインストールさせ、実行させることが可能となる。
【発明の効果】
【００１７】
本発明の電子機器によれば、アプリケーションの実行に際したユーザの利便性を向上させることができる。
【図面の簡単な説明】
【００１８】
【図１】本発明の第１実施形態に係る映像音声システムの概略外観図である。
【図２】本発明の第１実施形態に係る映像音声システムのブロック図である。
【図３】本発明の第１実施形態に係るアプリケーションの実行処理に関するフローチャートである。
【図４】本発明の第２及び第３実施形態に係る映像音声システムのブロック図である。
【図５】本発明の第２実施形態に係るアプリケーションの実行処理に関するフローチャートである。
【図６】本発明の第３実施形態に係るアプリケーションの実行処理に関するフローチャートである。
【発明を実施するための形態】
【００１９】
＜第１実施形態＞
以下に本発明の一実施形態について図面を参照して説明する。本発明の第１実施形態に係る映像音声システムの全体構成を示す概略外観図を図１に示す。
【００２０】
図１に示す映像音声システムは、ＢＤレコーダ１と、テレビ装置３とから構成される（それぞれ電子機器の一例）。ＢＤレコーダ１とテレビ装置３はＨＤＭＩケーブル２によって接続される。ＢＤレコーダ１には、外部にアンテナＡＴが接続される。また、テレビ装置３は、インターネットＮＴに接続可能となっている。
【００２１】
図１に示す映像音声システムの内部構成を概略的に示すブロック図を図２に示す。図２に示すように、ＢＤレコーダ１は、放送受信部１１、信号処理部１２、ＯＳＤ（オンスクリーンディスプレイ）処理部１３、制御部１４、光ディスクドライブ１５、記憶部１６、操作入力部１７、ＨＤＤ（Hard disk drive）１８、ネットワークＩ／Ｆ（インタフェース）１９、及びＨＤＭＩ通信部２０を備えている。
【００２２】
制御部１４は、ＢＤレコーダ１の各部を統括的に制御するものであり、映像音声の再生処理、記録処理、出力処理等を制御する。制御部１４は例えば、複数のマイクロプロセッサから構成されている。
【００２３】
記憶部１６は、例えばＲＡＭ（Random Access Memory）とフラッシュメモリを含んで構成される。ＲＡＭは、例えば制御部１４によって各種情報処理が行われる際の処理データが一時的に記憶される。また、フラッシュメモリは、電源が供給されていなくても記憶データが保持される不揮発性メモリであり、例えば装置の動作設定データや、利用者固有の情報等を保存するのに用いられる。
【００２４】
操作入力部１７は、ユーザがＢＤレコーダ１に対して各種指示を行うためのものである。操作入力部１７は、例えばＢＤレコーダ１のハウジングに設けられた複数のボタンや、不図示のリモコン装置から操作信号を受信する受信部等を含む。操作入力部１７によってユーザ操作が受け付けられると、制御部１４は、操作内容に基づいて再生処理や記録処理等各種制御を行う。
【００２５】
ＨＤＤ１８は、デジタルデータを記録する磁気記録媒体である。例えば、放送波に含まれるコンテンツをＤＲ（Direct Recording）モードで録画することや、ＤＲモードでの録画データをフォーマット変換することにより生成される録画データ（以下、「変換データ」という）を記録するのに用いられる。
【００２６】
光ディスクドライブ１５は、ＤＶＤ（Digital Versatile Disc）メディア、或いはＢＤメディア等の光ディスクに対して光学的に各種データの読み取り／書き込みを行うための光学装置である。光ディスクドライブ１５は、光ピックアップ（不図示）の制御を行うことにより、光ディスクに光ビームを照射して、音声情報、映像情報等の各種情報の読み取り／書き込みを行う。この際、光ピックアップの駆動制御やフォーカス制御、或いはチルト制御等の各種制御を行う。
【００２７】
放送受信部１１は、外部のアンテナＡＴに接続されてデジタル放送の選局、増幅、復調等を行う。放送受信部１１は、デジタルチューナ、及び誤り訂正部等を含むように構成されている。デジタルチューナは、ベースバンド信号の生成、及び生成されたベースバンド信号の復調を行い、誤り訂正部は、復調データに対して誤り訂正を行う。これにより、ＭＰＥＧ２方式のデジタル信号であるＴＳ（Transport Stream）の取得を行う。
【００２８】
なお、ＴＳとは、コンテンツ（番組）の音声ＰＥＳ（Packetized Elementary Stream）、映像ＰＥＳ、及び付加情報を固定長のＴＳパケットに分割してつなぎ合わせたものであり、信号処理部１２へ与えられて映像／音声信号に変換される。なお、ＴＳを変換せずＨＤＤ１８へ直接記録するＤＲ録画を行う場合、信号処理部１２はＴＳのスルーのみを行う。
【００２９】
信号処理部１２は、放送受信部１１により生成されたＴＳが入力され、音声デジタル信号と映像デジタル信号とに分離する。具体的には、放送受信部１１により生成されたＴＳを、ＴＳパケットに分割する。そしてＴＳパケットを再結合することにより、音声／映像のＰＥＳを生成する。
【００３０】
そしてＰＥＳを結合することにより、ＥＳ（Elementary Stream）を生成する。さらに信号処理部１２はＥＳの復号を行い、各種デジタル信号に変換する。復号により得られたデジタル信号は、テレビ装置３へ出力する場合は、ＨＤＭＩ通信部２０へ与えられる。
【００３１】
また、録画を行う場合には、上記復号により得られたデジタル信号は、信号処理部１２により更に所定の処理が行われてＨＤＤ１８又は光ディスクドライブ１５に与えられる。再生時は、ＨＤＤ１８又は光ディスクドライブ１５から読み出されたデータが信号処理部１２により所定の処理を行われ、復号により得られたデジタル信号が出力のためＨＤＭＩ通信部２０に与えられる。
【００３２】
ＯＳＤ処理部１３は、各種ＯＳＤ画像を生成するためのものであり、例えば信号処理部１２により生成された放送の映像データに対してＯＳＤ画像データを重畳し、重畳後の映像データをＨＤＭＩ通信部２０に与える。また、例えばＯＳＤ処理部１３は、上記重畳は行わずに、メニュー画面等のＯＳＤ画像データをＨＤＭＩ通信部２０に与えることもできる。
【００３３】
ネットワークＩ／Ｆ１９は、ＢＤレコーダ１をインターネットと接続させるための物理的なインタフェースである。ネットワークＩ／Ｆ１９は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、ネットワークＩ／Ｆ１９は、インターネットに接続する機能は有するが、図２ではインターネットＮＴには接続していない状態を示している（有線ＬＡＮケーブルを接続していなかったり、無線ＬＡＮ接続設定を行っていない等）。
【００３４】
ＨＤＭＩ通信部２０は、ＨＤＭＩケーブル２が接続されるポートを有し、ＨＤＭＩケーブル２を介してテレビ装置３の備えるＨＤＭＩ通信部３７とＨＤＭＩ規格に準じた通信を行うものである。ＨＤＭＩでは、一本のケーブルで映像、音声、及び制御信号の送受信を行うことができる。制御信号のやり取りについては、ＨＤＭＩにおいてＣＥＣ（Consumer Electronics Control）として定義されている。また、ＣＥＣでは、メーカー独自に設定できるベンダーコマンド（Vendor Command）を利用できる。
【００３５】
また、図２に示すように、テレビ装置３は、放送受信部３１、信号処理部３２、ＯＳＤ処理部３３、制御部３４、記憶部３５、操作入力部３６、ＨＤＭＩ通信部３７、表示部３８、及びネットワークＩ／Ｆ３９を備えている。
【００３６】
放送受信部３１は、外部のアンテナ（不図示）からデジタル放送信号を受信し、ＴＳを生成する。信号処理部３２は、生成されたＴＳに対して各種処理を行い、映像音声のデジタル信号を生成する。生成された映像のデジタル信号は表示部３８に送られ、表示部３８に放送映像が表示される。また、生成された音声のデジタル信号は、不図示の音声出力部（スピーカ等を含む）に送られ、放送音声が発生される。
【００３７】
信号処理部３２により生成された映像信号は、ＯＳＤ処理部３３によりＯＳＤ画像が重畳され、重畳後の映像信号が表示部３８に送られる場合もある。また、重畳を行わずに、ＯＳＤ処理部３３からＯＳＤ画像が表示部３８に送られる場合もある。
【００３８】
表示部３８は、各種映像を表示するものであり、例えば液晶パネルとこれを駆動する駆動部とを含む。
【００３９】
制御部３４は、テレビ装置３の各部を統括的に制御する制御装置である。記憶部３５は、制御部３４のワークメモリとして用いられたり、各種設定情報等が記憶されたりする。操作入力部３６は、テレビ装置３にユーザからの指示を与えるためのものであり、テレビ装置３の筐体に備えられる各種ボタンや、不図示のリモコン装置からの操作信号を受信する受信部を含む。
【００４０】
ネットワークＩ／Ｆ３９は、テレビ装置３をインターネットに接続させるための物理インタフェースであり、例えば有線ＬＡＮや無線ＬＡＮに接続可能となっている。図２では、ネットワークＩ／Ｆ３９は、インターネットＮＴに接続された状態を示す。
【００４１】
ＨＤＭＩ通信部３７は、ＢＤレコーダ１のＨＤＭＩ通信部２０に接続されるＨＤＭＩケーブル２が接続されるポートを有している。これにより、ＨＤＭＩ通信部２０とＨＤＭＩ通信部３７の間で映像、音声、及び制御信号の通信が可能となっている。ＨＤＭＩ通信部３７で受信された映像が表示部３８に送られ、音声が音声出力部（不図示）に送られることで、ＢＤレコーダ１により受信された放送の映像音声や、再生された映像音声をテレビ装置３によって視聴可能となる。
【００４２】
次に、このような構成である映像音声システムにおけるアプリケーションの実行処理に関して図３に示すフローチャートを用いて説明する。
【００４３】
デジタル放送波には映像音声と共にハイブリッドキャスト対応アプリケーションに関する情報（以下、アプリケーション関連情報）が含まれている。ＢＤレコーダ１の放送受信部１１で受信されたデジタル放送信号に含まれる映像音声がＨＤＭＩ通信部２０を介してＨＤＭＩ通信部３７に送られ、テレビ装置３において放送の映像音声を視聴する場合に図３の処理が行われる。
【００４４】
図３の処理が開始されると、まずステップＳ１で、制御部１４は、信号処理部１２においてＴＳから取得されたアプリケーション関連情報を確認する。
【００４５】
そして、ステップＳ２で、制御部１４は、アプリケーション関連情報に指定された所定のアプリケーションがＢＤレコーダ１１に既にインストールされているか否かを判定する。なお、アプリケーションのインストールは、ネットワークＩ／Ｆ１９によりインターネットからアプリケーションのインストール用データをダウンロードし、ダウンロードされたインストール用データを制御部１４が実行することで行われる。インストールは、ＨＤＤ１８や記憶部１６に対して行われる。
【００４６】
もしＢＤレコーダ１に上記所定のアプリケーションがインストールされている場合は（ステップＳ２のＹ）、ステップＳ６に進み、制御部１４は、インストールされている上記所定のアプリケーションを実行する。
【００４７】
一方、ＢＤレコーダ１に上記所定のアプリケーションがインストールされていない場合は（ステップＳ２のＮ）、ステップＳ３に進む。ステップＳ３で、制御部１４は、ＨＤＭＩ通信部２０を介してテレビ装置３に対して、テレビ装置３に上記所定のアプリケーションがインストールされているかを問い合わせる。問い合わせには、ＣＥＣにおけるベンダーコマンドを利用する。
【００４８】
テレビ装置３の制御部３４は、ＨＤＭＩ通信部３７を介して受けた問い合わせに対して、テレビ装置３に上記所定のアプリケーションがインストール済であるか否かをＨＤＭＩ通信部３７を介して返信する。返信には、ＣＥＣにおけるベンダーコマンドを利用する。
【００４９】
テレビ装置３へのアプリケーションのインストールは、ネットワークＩ／Ｆ３９によりインターネットＮＴからアプリケーションのインストール用データをダウンロードし、ダウンロードされたインストール用データを実行することで行われる。インストールは、例えば記憶部３５に対して行われる。
【００５０】
ＢＤレコーダ１の制御部１４は、もしテレビ装置３からＨＤＭＩ経由でインストール済の返信を受けた場合は（ステップＳ４のＹ）、ステップＳ５に進む。ステップＳ５で、制御部１４は、上記所定のアプリケーションの実行をＨＤＭＩ通信部２０を介してテレビ装置３に要求する。要求は、ＣＥＣのベンダーコマンドを利用する。すると、制御部３４は、ＨＤＭＩ通信部３７を介して要求を受け取り、テレビ装置３にインストールされた上記所定のアプリケーションを実行する。
【００５１】
一方、テレビ装置３からＨＤＭＩ経由でインストールがされていない旨の返信を受けた場合、またはテレビ装置３自体に電源が供給されていない等で返信自体が返ってこなかった場合は（ステップＳ４のＮ）、そのまま処理は終了となる（エンド）。
【００５２】
このように、自機のＢＤレコーダ１に所定のアプリケーションがインストールされていない場合でも、他機のテレビ装置３に所定のアプリケーションがインストールされていれば、テレビ装置３において所定のアプリケーションを実行させるので、ハイブリッドキャストの放送とアプリケーションが連動したサービスを受けることができる。
【００５３】
従って、例えばネットワークＩ／Ｆ１９がインターネットに接続されておらず（有線ＬＡＮケーブルを接続していない、無線ＬＡＮ接続を設定していない等）、アプリケーションをＢＤレコーダ１にインストールしていなくても、ユーザはインターネット接続及びインストールをわざわざ行う必要がない。また、ネットワークＩ／Ｆ１９がインターネットに接続されていても、ＨＤＤ１８等の容量の関係上、ユーザがアプリケーションをなるべくインストールしたくないような場合でも、アプリケーションをインストールする必要がなくなる。
【００５４】
なお、上記ステップＳ４で、テレビ装置３にインストールされていない旨の返信を受けた場合は、制御部１４は、所定のアプリケーションのインストール用データをダウンロードするためのＵＲＬ情報（アプリケーション関連情報に含まれる）をＨＤＭＩ通信部２０を介してテレビ装置３に送信してもよい。テレビ装置３の制御部３４は、ＨＤＭＩ通信部３７を介して受け取ったＵＲＬ情報に基づき、ネットワークＩ／Ｆ３９によりインターネットＮＴからインストール用データをダウンロードし、ダウンロードしたインストール用データを実行することで上記所定のアプリケーションをインストールする。そして、制御部３４は、インストールされたアプリケーションを実行すればよい。
【００５５】
これにより、テレビ装置３側にも所定のアプリケーションがインストールされていない場合でも、自動的にテレビ装置３にインストールさせて、ハイブリッドキャストのサービスを受けることができる。
【００５６】
＜第２実施形態＞
次に、本発明の第２実施形態について説明する。本実施形態に係る映像音声システムの内部構成を概略的に示すブロック図を図４に示す。図４に示す映像音声システムは、ＢＤレコーダ１とテレビ装置３に加えて、ＰＣ（パーソナルコンピュータ）４（電子機器の一例）を備えている。
【００５７】
ＢＤレコーダ１とテレビ装置３の構成については、先述した第１実施形態と同様であるので、ここでは詳述を省く。ＰＣ４は、制御部４１、ネットワークＩ／Ｆ４２、ＨＤＤ４３、表示部４４、記憶部４５、及び操作入力部４６を備えている。
【００５８】
制御部４１は、例えばＣＰＵ（Central Processing Unit）で構成される。記憶部４５は、制御部４１のワークメモリ等として用いられる。操作入力部４６は、例えばキーボードやマウス等のユーザがＰＣ４に指示を入力するためのものである。
【００５９】
ＨＤＤ４３は、映像データ、音声データ、アプリケーション等、各種データを保存するための記録媒体装置である。表示部４４は、例えばＰＣ４がデスクトップ型であれば外付けのディスプレイ装置であり、ＰＣ４がノート型であれば一体型のディスプレイである。
【００６０】
ネットワークＩ／Ｆ４２は、ＬＡＮ５に接続するための物理的なインタフェースである。ＬＡＮ５は、例えば有線ＬＡＮや無線ＬＡＮで構成される。ＬＡＮ５にはＢＤレコーダ１のネットワークＩ／Ｆ１９、及びテレビ装置３のネットワークＩ／Ｆ３９も接続可能である。そして、ＬＡＮ５にはインターネットＮＴも接続される。
【００６１】
ここで、ＰＣ４には、アプリケーションをインストールすることが可能である。操作入力部４６への指示に応じて、制御部４１は、ネットワークＩ／Ｆ４２を用いてインターネットＮＴからアプリケーションのインストール用のデータをダウンロードし、ダウンロードされたインストール用データを実行することでアプリケーションをインストールする。インストールは、例えばＨＤＤ４３に対して行われる。なお、インストールは、ＰＣ４に外付けされた不図示のＨＤＤ（例えばＬＡＮ５に接続）に対して行ってもよい。
【００６２】
所定のアプリケーションのインストールが完了すると、制御部４１は、上記所定のアプリケーションがＰＣ４にインストール済であることを示すショートカット情報（データ参照用の実体のない情報）を、ネットワークＩ／Ｆ４２を介してＢＤレコーダ１及びテレビ装置３に送信する。送信されたショートカット情報は、ネットワークＩ／Ｆ１９を介して記憶部１６に記憶されると共に、ネットワークＩ／Ｆ３９を介して記憶部３５に記憶される。
【００６３】
これにより、ＰＣ４にアプリケーションをインストールすると、ＢＤレコーダ１及びテレビ装置３がＰＣ４にインストールされたアプリケーションを共用して実行できる。
【００６４】
次に、このような本実施形態におけるアプリケーション実行処理について図５に示すフローチャートを用いて説明する。図５に示すステップＳ１１、Ｓ１２、及びＳ１５については、先述した第１実施形態における図３の処理（ステップＳ１、Ｓ２、及びＳ６）と同様である。本実施形態では、ステップＳ１２でＢＤレコーダ１に放送で指定された所定のアプリケーションがインストールされていない場合（ステップＳ１２のＮ）、ステップＳ１３に進む。
【００６５】
ステップＳ１３で、ＢＤレコーダ１の制御部１４は、上記所定のアプリケーションのショートカット情報が記憶部１６に記憶されているか否かを判定する。もし記憶部１６に記憶されている場合は（ステップＳ１３のＹ）、ステップＳ１４に進み、制御部１４は、ショートカット情報に基づき、上記所定のアプリケーションを実行するようＰＣ４にネットワークＩ／Ｆ１９を介して要求する。ＰＣ４の制御部４１は、ネットワークＩ／Ｆ４２を介して要求を受けると、ＰＣ４にインストールされた上記所定のアプリケーションを実行する。
【００６６】
一方、上記所定のアプリケーションのショートカット情報が記憶部１６に記憶されていない場合は（ステップＳ１３のＮ）、そのまま処理が終了となる（エンド）。
【００６７】
このような本実施形態によれば、ＢＤレコーダ１に所定のアプリケーションがインストールされていなくても、ＰＣ４に所定のアプリケーションがインストールされていれば、ＰＣ４に所定のアプリケーションを実行させるので、放送とアプリケーションを連動させたハイブリッドキャストのサービスを受けることができる。
【００６８】
＜第３実施形態＞
次に、本発明の第３実施形態について説明する。本実施形態は、先述した第２実施形態と同様の構成（図４）を用いるが、ＰＣ４にアプリケーションをインストールしたときにＢＤレコーダ１及びテレビ装置３に送信するショートカット情報にアイコン情報も含める。
【００６９】
本実施形態におけるアプリケーション実行処理について図６に示すフローチャートを用いて説明する。例えばＢＤレコーダ１の記憶部１６に記憶されたアイコン情報に基づき、ＨＤＭＩ経由でテレビ装置３の表示部３８にアイコンが表示される状態で、操作入力部１７での入力操作により表示されたアイコンが選択されると、図６の処理が開始される。
【００７０】
まずステップＳ２１で、制御部１４は、選択されたアイコンに対応するアプリケーションはＢＤレコーダ１にインストールされているか否かを判定する。もしＢＤレコーダ１にインストールされている場合は（ステップＳ２１のＹ）、ステップＳ２４に進み、制御部１４は、ＢＤレコーダ１にインストールされたアプリケーションを実行する。
【００７１】
一方、選択されたアイコンに対応するアプリケーションはＢＤレコーダ１にインストールされていない場合は（ステップＳ２１のＮ）、ステップＳ２２に進む。ステップＳ２２で、制御部１４は、選択されたアイコンに対応するショートカット情報が記憶部１６に記憶されているか否かを判定する。もし記憶部１６にショートカット情報が記憶されている場合は（ステップＳ２２のＹ）、ステップＳ２３に進む。
【００７２】
ステップＳ２３で、制御部１４は、ショートカット情報に基づき、アプリケーションを実行するようＰＣ４にネットワークＩ／Ｆ１９を介して要求する。ＰＣ４の制御部４１は、ネットワークＩ／Ｆ４２を介して要求を受けると、ＰＣ４にインストールされたアプリケーションを実行する。
【００７３】
一方、ショートカット情報が記憶部１６に記憶されていない場合は（ステップＳ２２のＮ）、そのまま処理が終了となる（エンド）。
【００７４】
このような本実施形態によれば、選択されたアイコンに対応するアプリケーションがＢＤレコーダ１にインストールされていなくても、ショートカット情報が記憶されていれば、ＰＣ４において対応するアプリケーションが実行される。
【００７５】
以上、本発明の実施形態について説明したが、本発明の趣旨の範囲内であれば、実施形態は種々の変更が可能である。
【符号の説明】
【００７６】
１  ＢＤレコーダ
２  ＨＤＭＩケーブル
３  テレビ装置
４  ＰＣ
５  ＬＡＮ
１１  放送受信部
１２  信号処理部
１３  ＯＳＤ処理部
１４  制御部
１５  光ディスクドライブ
１６  記憶部
１７  操作入力部
１８  ＨＤＤ
１９  ネットワークＩ／Ｆ
２０  ＨＤＭＩ通信部
３１  放送受信部
３２  信号処理部
３３  ＯＳＤ処理部
３４  制御部
３５  記憶部
３６  操作入力部
３７  ＨＤＭＩ通信部
３８  表示部
３９  ネットワークＩ／Ｆ
４１  制御部
４２  ネットワークＩ／Ｆ
４３  ＨＤＤ
４４  表示部
４５  記憶部
４６  操作入力部
ＡＴ  アンテナ
ＮＴ  インターネット
【図１】
2015192273.tif 000003
【図２】
2015192273.tif 000004
【図３】
2015192273.tif 000005
【図４】
2015192273.tif 000006
【図５】
2015192273.tif 000007
【図６】
2015192273.tif 000008